(57)【要約】【課題】不正アクセスされた場合にも、第３者に印刷データ流出しない、セキュリティレベルの高いのセキュリティ印刷プログラムを提供すること。【解決手段】図４に示すように、印刷データは、印刷データの５分割する。そして、分割された分割印刷データには、分割印刷データの先頭にシーケンス番号を付加する。送信順番は、ランダムで（４，３，５，２，１の順）決定する。そして、分割印刷データの先頭にシーケンス番号を付加する（Ｓ１２）。分割印刷データを印刷装置に送信する順番を決めて（Ｓ１３）、送信する。印刷装置側では、分割印刷データの受信が行われたら、メモリ上に格納し（Ｓ２０）、印刷データ組立制御部３８に組立依頼を送信する。印刷データ組立制御部３８は、組立依頼を受信すると、分割印刷データのシーケンス番号に基づいて、印刷データを組み立てる（Ｓ２１）。これを印刷制御部４２へ送信し印刷を行う。【選択図】      図４
2004252888.tif 000002
【特許請求の範囲】
【請求項１】
端末装置から印刷装置に印刷データを送信して印刷処理を行うに際し、
端末装置側で、送信前の印刷データを分割する分割機能と、
この分割機能により分割した印刷データにシーケンス番号を付加する番号付加機能と、
この番号付加機能によりシーケンス番号が付加された印刷データの送信順をランダムに決定する送信順決定機能と、
この送信順決定機能により決定された送信順に従って分割された印刷データを印刷装置側へ送信する送信機能と、
この送信機能により送信された印刷データを印刷装置側で受信する受信機能と、
この受信機能で受信した分割された印刷データを前記番号付加機能で付加されたシーケンス番号を基に組み立てて復元する復元機能と、
この復元機能で復元された印刷データを印刷する印刷機能と、をコンピュータに実現させることを特徴とするセキュリティ印刷プログラム。
【請求項２】
端末装置から印刷装置に印刷データを送信して印刷処理を行うに際し、
端末装置側で、送信前の印刷データを分割する分割機能と、
この分割機能により分割した印刷データにシーケンス番号を付加する番号付加機能と、
この番号付加機能によりシーケンス番号が付加された印刷データを暗号化する暗号化機能と、
この暗号化機能で暗号化された印刷データの送信順をランダムに決定する送信順決定機能と、
この送信順決定機能により決定された送信順に従って分割された印刷データを印刷装置側へ送信する送信機能と、
この送信機能により送信された印刷データを印刷装置側で受信する受信機能と、
この受信機能で受信した、分割され、暗号化されたた印刷データを復号する復号機能と、
この復号機能で復号された印刷データを前記番号付加機能で付加されたシーケンス番号を基に組み立てて復元する復元機能と、
この復元機能で復元された印刷データを印刷する印刷機能と、をコンピュータに実現させることを特徴とするセキュリティ印刷プログラム。
【請求項３】
端末装置から印刷装置に印刷データを送信して印刷処理を行うに際し、
端末装置側で、送信前の印刷データを分割する分割機能と、
この分割機能により分割した印刷データにシーケンス番号を付加する番号付加機能と、
この番号付加機能によりシーケンス番号が付加された印刷データに暗号鍵をランダムに作成する暗号鍵作成機能と、
この暗号鍵作成機能で作成された暗号鍵により印刷データを暗号化する暗号化機能と、
この暗号化機能で暗号化された印刷データの送信順をランダムに決定する送信順決定機能と、
この送信順決定機能により決定された送信順に従って分割された印刷データを印刷装置側へ送信する送信機能と、
この送信機能により送信された印刷データを印刷装置側で受信する受信機能と、
当該印刷データを暗号化した暗号鍵を取得する暗号鍵取得機能と、
前記受信機能で受信し、分割され、暗号化された印刷データを前記暗号鍵取得機能で取得した暗号鍵で復号する復号機能と、
この復号機能で復号された印刷データを前記番号付加機能で付加されたシーケンス番号を基に組み立てて復元する復元機能と、
この復元機能で復元された印刷データを印刷する印刷機能と、をコンピュータに実現させることを特徴とするセキュリティ印刷プログラム。
【請求項４】
端末装置から印刷装置に印刷データを送信して印刷処理を行うに際し、
端末装置側で、送信前の印刷データを分割する分割機能と、
この分割機能により分割した印刷データの識別子を作成し、同時に識別子テーブルも作成する識別子作成機能と、
この識別子作成機能により作成された識別子を分割された印刷データに付加する識別子付加機能と、
この識別子付加機能により識別子が付加された印刷データに暗号鍵をランダムに作成する暗号鍵作成機能と、
この暗号鍵作成機能で作成された暗号鍵により印刷データを暗号化する暗号化機能と、
この暗号化機能で暗号化された印刷データの送信順をランダムに決定する送信順決定機能と、
この送信順決定機能により決定された送信順に従って分割された印刷データを印刷装置側へ送信する送信機能と、
この送信機能により送信された印刷データを印刷装置側で受信する受信機能と、
当該印刷データを暗号化した暗号鍵および前記識別子作成機能で作成した識別子及び識別子テーブルを取得する暗号鍵および識別子取得機能と、
前記受信機能で受信した分割され、暗号化された印刷データを前記暗号鍵および前記識別子取得機能で取得した暗号鍵で復号する復号機能と、
この復号機能で復号された印刷データを前記暗号鍵および前記識別子取得機能で取得した識別子及び識別子テーブルを基に組み立てて復元する復元機能と、
この復元機能で復元された印刷データを印刷する印刷機能と、をコンピュータに実現させることを特徴とするセキュリティ印刷プログラム。
【請求項５】
端末装置から印刷装置に印刷データを送信して印刷処理を行う印刷システムにおいて、
請求項１、請求項２、請求項３または請求項４記載のセキュリティ印刷プログラムが格納されていることを特徴とするセキュリティ印刷システム。
【請求項６】
請求項１、請求項２、請求項３または請求項４記載のセキュリティ印刷プログラムが格納されていることを特徴とするセキュリティ印刷プログラムが格納された記憶媒体。
【発明の詳細な説明】
【０００１】
【発明の属する技術分野】
本発明は、端末装置から印刷装置に印刷データを送信する際、情報の漏洩を防止する印刷セキュリティ印刷に関する
【０００２】
【従来の技術】
最近、無線ＬＡＮ（ローカル・エリア・ネットワーク）を使ったネットワーク環境において、各種データを送受信することが普及している。このような環境下では、ＯＡ器機の使い勝手が向上する反面、第３者にデータを搾取される恐れも指摘されている。
具体的には、図１５のようにＰＣから印刷装置へ印刷データを送る際に、ネットワーク上で第３者が不正アクセスによって、印刷データを盗聴した場合、その印刷データを第３者所有の印刷装置に印刷できる問題がある。このような状況では、セキュリティの確保が充分とはいえないのが実情である。
そこで、セキュリティを確保するための技術として以下の技術がある。
【特許文献１】
特開２０００−２２２１５０
【特許文献２】
特開２００１−６７１９１
【特許文献３】
特開２００１−１１７７４４
特許文献１は、印刷ジョブにパスワードを格納することで、印刷データのセキュリティを確保する技術に関する。
特許文献２は、印刷ジョブに印刷期限を格納することで、印刷データのセキュリティの確保を行う技術に関する。
特許文献３は、クライアント／サーバーを使った印刷データのセキュリティの確保を行う技術に関する。
【０００３】
【発明が解決しようとする課題】
ところで、印刷データのセキュリティーを確保するためには、セキュリティの設定ができるだけ簡易で、且つ安全度が高いものが理想的である。
そこで、本発明の目的は、不正アクセス（盗聴）された場合にも、第３者に印刷データ流出しない、セキュリティレベルの高いのセキュリティ印刷プログラム、セキュリティ印刷システムおよびセキュリティ印刷プログラムが格納された記憶媒体を提供することである。
【０００４】
【課題を解決するための手段】
請求項１記載の発明では、端末装置から印刷装置に印刷データを送信して印刷処理を行うに際し、端末装置側で、送信前の印刷データを分割する分割機能と、
この分割機能により分割した印刷データにシーケンス番号を付加する番号付加機能と、この番号付加機能によりシーケンス番号が付加された印刷データの送信順をランダムに決定する送信順決定機能と、この送信順決定機能により決定された送信順に従って分割された印刷データを印刷装置側へ送信する送信機能と、この送信機能により送信された印刷データを印刷装置側で受信する受信機能と、この受信機能で受信した分割された印刷データを前記番号付加機能で付加されたシーケンス番号を基に組み立てて復元する復元機能と、この復元機能で復元された印刷データを印刷する印刷機能と、をセキュリティ印刷プログラムがコンピュータに実現させることにより、前記目的を達成する。
請求項２記載の発明では、端末装置から印刷装置に印刷データを送信して印刷処理を行うに際し、端末装置側で、送信前の印刷データを分割する分割機能と、この分割機能により分割した印刷データにシーケンス番号を付加する番号付加機能と、この番号付加機能によりシーケンス番号が付加された印刷データを暗号化する暗号化機能と、この暗号化機能で暗号化された印刷データの送信順をランダムに決定する送信順決定機能と、この送信順決定機能により決定された送信順に従って分割された印刷データを印刷装置側へ送信する送信機能と、この送信機能により送信された印刷データを印刷装置側で受信する受信機能と、この受信機能で受信した、分割され、暗号化されたた印刷データを復号する復号機能と、この復号機能で復号された印刷データを前記番号付加機能で付加されたシーケンス番号を基に組み立てて復元する復元機能と、この復元機能で復元された印刷データを印刷する印刷機能と、をセキュリティ印刷プログラムがコンピュータに実現させることにより、前記目的を達成する。
【０００５】
請求項３記載の発明では、端末装置から印刷装置に印刷データを送信して印刷処理を行うに際し、端末装置側で、送信前の印刷データを分割する分割機能と、この分割機能により分割した印刷データにシーケンス番号を付加する番号付加機能と、この番号付加機能によりシーケンス番号が付加された印刷データに暗号鍵をランダムに作成する暗号鍵作成機能と、この暗号鍵作成機能で作成された暗号鍵により印刷データを暗号化する暗号化機能と、この暗号化機能で暗号化された印刷データの送信順をランダムに決定する送信順決定機能と、この送信順決定機能により決定された送信順に従って分割された印刷データを印刷装置側へ送信する送信機能と、この送信機能により送信された印刷データを印刷装置側で受信する受信機能と、当該印刷データを暗号化した暗号鍵を取得する暗号鍵取得機能と、前記受信機能で受信し、分割され、暗号化された印刷データを前記暗号鍵取得機能で取得した暗号鍵で復号する復号機能と、この復号機能で復号された印刷データを前記番号付加機能で付加されたシーケンス番号を基に組み立てて復元する復元機能と、この復元機能で復元された印刷データを印刷する印刷機能と、をセキュリティ印刷プログラムがコンピュータに実現させることにより、前記目的を達成する。
【０００６】
請求項４記載の発明では、端末装置から印刷装置に印刷データを送信して印刷処理を行うに際し、端末装置側で、送信前の印刷データを分割する分割機能と、この分割機能により分割した印刷データの識別子を作成し、同時に識別子テーブルも作成する識別子作成機能と、この識別子作成機能により作成された識別子を分割された印刷データに付加する識別子付加機能と、この識別子付加機能により識別子が付加された印刷データに暗号鍵をランダムに作成する暗号鍵作成機能と、この暗号鍵作成機能で作成された暗号鍵により印刷データを暗号化する暗号化機能と、この暗号化機能で暗号化された印刷データの送信順をランダムに決定する送信順決定機能と、この送信順決定機能により決定された送信順に従って分割された印刷データを印刷装置側へ送信する送信機能と、この送信機能により送信された印刷データを印刷装置側で受信する受信機能と、当該印刷データを暗号化した暗号鍵および前記識別子作成機能で作成した識別子及び識別子テーブルを取得する暗号鍵および識別子取得機能と、前記受信機能で受信した分割され、暗号化された印刷データを前記暗号鍵および前記識別子取得機能で取得した暗号鍵で復号する復号機能と、この復号機能で復号された印刷データを前記暗号鍵および前記識別子取得機能で取得した識別子及び識別子テーブルを基に組み立てて復元する復元機能と、この復元機能で復元された印刷データを印刷する印刷機能と、をセキュリティ印刷プログラムがコンピュータに実現させることにより、前記目的を達成する。
【０００７】
請求項５記載の発明では、端末装置から印刷装置に印刷データを送信して印刷処理を行う印刷システムにおいて、請求項１、請求項２、請求項３または請求項４記載のセキュリティ印刷プログラムが格納されていることを特徴とする。
請求項６記載の発明では、請求項１、請求項２、請求項３または請求項４記載のセキュリティ印刷プログラムが格納されていることを特徴とする。
【０００８】
【発明の実施の形態】
以下、本発明の好適な実施の形態を図１ないし図１４を参照して、詳細に説明する。
図１は、本実施例の全体構成を示した図である。
ＰＣ（パーソナルコンピュータ）１０は、ワープロ等で文書の印刷データを作る装置であり、印刷装置３０は、文書の印刷データの印刷を行う装置である。ＰＣ１０および印刷装置３０の外部記憶装置１２、３２は、記憶メディアの読み書きを行う装置である。このＰＣ１０と印刷装置３０は、ＬＡＮ（ローカル・エリア・ネットワーク）装置６０で接続されており、情報の送受信が可能となっている。
【０００９】
図２は、ＰＣ１０の構成を示した図である。
ＲＡＭ（ランダム・アクセス・メモリ）／ＲＯＭ（リード・オンリ・メモリ）制御部１４は、ＲＡＭ／ＲＯＭなどのメモリを制御している。ここで、ＲＯＭには、ＰＣ１０を起動するプログラムコードやデータなどが記憶されており、ＲＡＭは、ＣＰＵ（中央演算処理装置）の主メモリとして機能し、プログラムコードやデータコードなどに用いられる。
ＣＰＵ制御部１６は、ＣＰＵでＲＯＭに記憶されたプログラムコードなどに基いて、システムバスに接続される各種プログラム、デバイスとのアクセスを総括的に制御する。
印刷データ分割制御部１８は、印刷データの分割操作を制御し、暗号化制御部２０は、分割印刷データの暗号化操作を制御する。
【００１０】
Ｉ／Ｏ制御部２２は、記憶装置、入出力装置、ネットワークＩ／Ｆ装置を総括的に制御する。
入出力制御部２４は、キーボード、マウス、ディスプレイなどの入出力を総括的に制御し、ネットワーク制御部２６は、ＬＡＮカードを介して、相手機器との通信を統括的に制御する。
識別子制御部２８は、分割印刷データの識別子操作を制御する。
【００１１】
図３は、印刷装置３０の構成を示した図である。
ＲＡＭ／ＲＯＭ制御部３４は、ＲＡＭ／ＲＯＭなどメモリを制御する。ここで、ＲＯＭは、機器を起動するプログラムコードやデータなどが記憶されており、ＲＡＭは、ＣＰＵの主メモリとして機能するＲＡＭで、プログラムコードやデータコードなどに用いられる。
ＣＰＵ制御部３６は、ＣＰＵでＲＯＭに記憶されたプログラムコードなどに基いてシステムバスに接続される各種プログラム、デバイスとのアクセスを総括的に制御し、印刷データ組立制御部３８は、分割印刷データを組み立てる操作を制御する。
符号化制御部４０は、暗号化された暗号化分割印刷データの符号化操作を制御し、印刷制御部４２は、印刷データの印刷を制御する。
Ｉ／Ｏ制御部４４は、記憶装置、入出力装置、ネットワークＩ／Ｆ装置を総括的に制御し、入出力制御部４６は、パネルなどの入出力を総括的に制御する。
ネットワーク制御部４８は、ＬＡＮカードを介して、相手機器との通信を統括的に制御し、識別子管理部５０は、分割印刷データの識別子操作を制御する。
【００１２】
次に、第１の実施例を図４および図５を参照して説明する。図４は、第１の実施例を説明する図、図５は、第１の実施例の処理手順を示したフローチャートである。
図４に示すように、印刷データは、印刷データの５分割（Ａ，Ｂ，Ｃ，Ｄ，Ｅ）する。そして、分割された分割印刷データには、分割印刷データの先頭にシーケンス番号（１，２，３，４，５）を付加する。送信順番は、ランダムで（４，３，５，２，１の順）決定する。
この第１の実施例において、ＰＣ１０側の処理は、以下の通りである。
まず、ＰＣ１０の電源を入れると、以下の初期化を行う。
（１）周辺装置やメモリチェックなどに異常がないかどうかのハードウェアチェックを行う。
（２）ＰＣ１０のプログラムをＲＡＭ／ＲＯＭ制御部１４を介して、ＲＯＭからロードする。
（３）ワープロ等によるで文書の印刷時、印刷データをＲＡＭ／ＲＯＭ制御部１４を介して、メモリ上に記憶しておき（ステップ１０）、印刷データ分割制御部１８に分割依頼を送信する。
（４）印刷データ分割制御部１８は、分割依頼を受信すると、印刷データを均等に分割する（ステップ１１）。この分割方法は、あらかじめ、入出力制御部２４を介してキーボート等による入力で印刷データのサイズと分割数を決めておき、Ｉ／Ｏ制御部２２を介して、ＨＤＤ（ハードディスクドライブ）等に記録しておく。
（５）さらに、分割印刷データの先頭にシーケンス番号を付加する（ステップ１２）。
（６）分割印刷データを印刷装置に送信する順番を決める（ステップ１３）。送信順番方法の例として、各分割印刷データのランダム値を求め、ランダム値の若い順に送信する。
分割印刷データのシーケンス番号とランダム値および送信順番の関係の一例を図６に示してある。
（７）送信順番に従って、分割印刷データをネットワーク制御部２６を介して、印刷装置３０へ送信する（ステップ１４）。
【００１３】
次に、印刷装置３０側の処理を説明する。
印刷装置３０に電源を入れると、以下の初期化を行う。
１．周辺装置やメモリチェックなどに異常がないかどうかのハードウェアチェックを行う。
２．印刷装置３０のプログラムをＲＡＭ／ＲＯＭ制御部３４を介して、ＲＯＭからロードする。
３．ネットワーク制御部４８において、分割印刷データの受信が行われたら、分割印刷データをＲＡＭ／ＲＯＭ制御部３４を介して、メモリ上に格納し（ステップ２０）、印刷データ組立制御部３８に組立依頼を送信する。
４．印刷データ組立制御部３８は、組立依頼を受信すると、分割印刷データのシーケンス番号に基づいて、印刷データを組み立てる（ステップ２１）。
５．印刷データ組立制御部３８で組み立てられた印刷データを印刷制御部４２へ送信し、印刷を行う（ステップ２２）。
【００１４】
次に、第２の実施例を説明する。図７は、第２の実施例を説明する図であり、図８は、第２の実施例の処理手順を示したフローチャートである。
この第２の実施例は、第１の実施例と相違するところについて説明する。
図７に示すように、暗号化分割印刷データは、シーケンス番号＋分割印刷データ全体が暗号化される（綱模様の部分）ことを特徴としている。
ＰＣ１０の処理は、以下の様に行う。
（５’）分割印刷データの暗号化を行う（ステップ３３）。暗号化方法は、ＢＡＳＥ６４方式などがある。
（６’）次に、暗号化分割印刷データを印刷装置３０に送信する順番を決める（ステップ３４）。
（７’）送信順番に従って、分割印刷データをネットワーク制御部２６を介して、印刷装置３０へ送信する（ステップ３５）。
一方、印刷装置３０側の処理は以下の通りである。
３’ネットワーク制御部４８において、暗号化分割印刷データの受信が行われたら、暗号化分割印刷データをＲＡＭ／ＲＯＭ制御部３４を介して、メモリ上に格納し（ステップ４０）、印刷データ組立制御部３８に組立依頼を送信する。
３’’暗号化分割印刷データの復号化を行う（ステップ４１）。
その後の処理は、第１の実施例と同様である（ステップ４２、ステップ４３）。
【００１５】
続いて、第３の実施例を説明する。図９、図１０は、第３の実施例を説明する図であり、図１１は、第３の実施例の処理手順を示したフローチャートである。
図９において、暗号化分割印刷データは、シーケンス番号＋分割印刷データ全体が暗号鍵に基いて暗号化を行われる（背景に模様がある部分）。
また、図１０は、各分割Ｎｏ（シーケンス番号）に対応した暗号化鍵情報を示している。暗号鍵は、ランダム値の１６進数や文字列で表している。この図では、説明しやすいように背景に模様をつけている。実際は、ランダム値の１６進数や文字列で使用する。
【００１６】
次に、第３の実施例の処理を説明するが、第２の実施例と同一の箇所は省略し、相違点のみ説明する。
（５’’）各分割印刷データの暗号鍵を決める（ステップ５３）。この暗号鍵を決める方法として、ランダム値を使用した１６進数で表す。
（６’’）暗号鍵に基づいて、分割印刷データの暗号化を行う（ステップ５４）。暗号鍵の暗号化方法として、現在の代表的共通鍵アルゴリズムであり、５６ｂｉｔのＤＥＳ（Ｄａｔａ  Ｅｎｃｒｙｐｔｉｏｎ  Ｓｔａｎｄａｒｄ）などがある。
（７’’）暗号鍵情報をＩ／Ｏ制御部２４を介して、外部記憶装置２２に格納されている記憶メディアに格納する（ステップ５５）。
（８’’）暗号化分割印刷データを印刷装置３０に送信する順番を決める（ステップ５６）。
（９’’）送信順番に従って、暗号化分割印刷データをネットワーク制御部２６を介して、印刷装置３０へ送信する（ステップ５７）。
【００１７】
一方、印刷装置３０の処理は、第２の実施例の２’’処理を次のように変更する。
２ａ．Ｉ／Ｏ制御部４４を介して、外部記憶装置３２に記憶メディアがセットされたら、記憶メディアから暗号鍵情報を取り出す（ステップ６１；Ｙ、ステップ６２）。
２ｂ．暗号鍵情報に基づいて、暗号化分割印刷データの復号化を行う（ステップ６３）。
その後処理は、第２の実施例と同様である（ステップ６４、６５）
【００１８】
次に、第４の実施例を説明する。図１２、図１３は、第４の実施例を説明する図であり、図１４は、第４の実施例の処理手順を示したフローチャートである。
図１２において、分割印刷データから、分割印刷データの先頭に付加する識別子を作成する。
図１３において、各分割Ｎｏ（シーケンス番号）に対応した暗号化鍵情報と識別子情報識別子の例として、時刻＋ＰＣ固有（シリアル番号）やランダム値で作成したものがある。
【００１９】
次に第４の実施例の処理を説明する。
第１の実施例のＰＣ１０側の処理５を次の処理に変更する。
（５ａ）各分割印刷データの識別子を作成する（ステップ７２）。
（４ｂ）分割印刷データの先頭に識別子を付加する（ステップ７３）。
さらに、第３の実施例のＰＣ１０側の処理の（７’’）を次の処理に変更する。
（７ａ）暗号鍵情報及び識別子情報をＩ／Ｏ制御部２２を介して、外部記憶装置２２に格納されている記憶メディアに格納する（ステップ７７）。
一方、印刷装置３０側の処理は、第３の実施例における処理２ａを次の処理に変更する。
２ａ’Ｉ／Ｏ制御部４４を介して、外部記憶装置３２に記憶メディアがセットされたら、記憶メディアから暗号鍵情報及び識別子情報を取り出す（ステップ８２）。
そして、第１の実施例の処理４を次のように変更する。
４ａ  印刷データ組立制御部３８は、組立依頼を受信すると、識別子情報に基づいて、印刷データを組み立てる（ステップ８４）。
【００２０】
次に、第５の実施例を説明する。
図１に示すように、第１、第２、第３、第４の実施例におけるＰＣ１０側のプログラムインターフェースを格納したＰＣ１０と、第１、第２、第３、第４の実施例における印刷装置３０側のプログラムインターフェースを格納した印刷装置となる構成を提供する。
【００２１】
次に、第６の実施例を説明する。
図１に示すように、ＰＣ１０及び印刷装置３０に第１、第２、第３、第４の実施例におけるＰＣ１０側のプログラムインターフェース及び印刷装置３０側のプログラムインターフェースを提供するために、ＰＣ１０側及び印刷装置３０側のプログラムインターフェースと、そのプログラムインターフェースをＰＣ１０及び印刷装置３０にインストールするためのインストールキットと、をコンピュータ読み取り記憶媒体に格納する。
【００２２】
【発明の効果】
請求項１記載の発明では、印刷データを分割することで第３者による不正アクセス（盗聴）を防止することができ、セキュリティが確保ができる。
請求項２記載の発明では、分割印刷データの暗号化を行うことで、第３者による分割印刷データの解析を難しくさせ、セキュリティが確保できる。
請求項３記載の発明では、分割印刷データごとに暗号鍵を用意することで、第３者による各分割印刷データの解析を難しくさせ、セキュリティが確保できる。他人の印刷データも同様に確保される。また、暗号化情報を印刷データに格納しないので、ネットワーク上に流れずに済む。
【００２３】
請求項４記載の発明では、分割印刷データを組み立てるための情報を記憶メディアに格納すること（ネットワーク上に流れない）で、セキュリティが確保できる。
請求項５記載の発明では、ＰＣ及び印刷装置にセキュリティ印刷システムを使用することで、セキュリティが保たれた印刷が行える。
請求項６記載の発明では、既存のユーザーのＰＣ及び印刷装置にインストールすることで、本発明のセキュリティ印刷機能が使用できる。
【図面の簡単な説明】
【図１】本実施例の全体構成を示した図である。
【図２】ＰＣ（パーソナルコンピュータ）の構成を示した図である。
【図３】印刷装置の構成を示した図である。
【図４】第１の実施例の処理を説明する図である。
【図５】第１の実施例の処理手順を示したフローチャートである。
【図６】第１の実施例における分割印刷データのシーケンス番号と送信順の関係を示した図である。
【図７】第２の実施例の処理を説明する図である。
【図８】第２の実施例の処理手順を示したフローチャートである。
【図９】第３の実施例の処理を説明する図である。
【図１０】第３の実施例で用いる暗号化鍵を説明する図である。
【図１１】第３の実施例の処理手順を示したフローチャートである。
【図１２】第４の実施例の処理を説明する図である。
【図１３】第４の実施例で用いる暗号化鍵と識別子情報テーブルを示した図である。
【図１４】第４の実施例の処理手順を示したフローチャートである。
【図１５】従来のＬＡＮを用いた印刷装置の構成を示した図である。
【符号の説明】
１０  ＰＣ（パーソナルコンピュータ）
１２  外部記憶装置
１４  ＲＡＭ／ＲＯＭ制御部
１６  ＣＰＵ制御部
１８  印刷データ分割制御部
２０  暗号化制御部
２２  Ｉ／Ｏ制御部
２４  入出力制御部
２６  ネットワーク制御部
２８  識別子制御部
３０  印刷装置
３２    外部記憶装置
３４  ＲＡＭ／ＲＯＭ制御部
３６  ＣＰＵ制御部
３８  印刷データ組立制御部
４０  符号化制御部
４２  印刷制御部
４４  Ｉ／Ｏ制御部
４６  入出力制御部
４８  ネットワーク制御部
５０  識別子管理部
６０  ＬＡＮ
【図１】
2004252888.tif 000003
【図２】
2004252888.tif 000004
【図３】
2004252888.tif 000005
【図４】
2004252888.tif 000006
【図５】
2004252888.tif 000007
【図６】
2004252888.tif 000008
【図７】
2004252888.tif 000009
【図８】
2004252888.tif 000010
【図９】
2004252888.tif 000011
【図１０】
2004252888.tif 000012
【図１１】
2004252888.tif 000013
【図１２】
2004252888.tif 000014
【図１３】
2004252888.tif 000015
【図１４】
2004252888.tif 000016
【図１５】
2004252888.tif 000017